(57)【要約】【課題】従来よりも表面が平滑な鋭利部を備える医療用・衛生用器具が得られる製造装置の提供。【解決手段】加工して得た加工面を備える金属製基材を保持する板状ホルダーと、プラズマおよび／または電子を発生させる発生部とを有し、前記加工面へ前記発生部において発生させたプラズマおよび／または電子を衝突させて前記加工面を研磨し、鋭利部を備える医療用・衛生用器具を得る、医療用・衛生用器具の製造装置であって、前記板状ホルダーは、厚さ方向に形成された孔を備え、前記加工面を含む部分が前記発生部の側に突出するように前記金属製基材の一部を前記孔に差し込んで前記金属製基材を保持できる保持機構を備え、前記板状ホルダーにおける前記発生部の側の最表面の少なくとも一部が電気絶縁性材料からなる、医療用・衛生用器具の製造装置。【選択図】図４
2014064612.tif 000002
【特許請求の範囲】
【請求項１】
加工して得た加工面を備える金属製基材を保持する板状ホルダーと、プラズマおよび／または電子を発生させる発生部とを有し、前記加工面へ前記発生部において発生させたプラズマおよび／または電子を衝突させて前記加工面を研磨し、鋭利部を備える医療用・衛生用器具を得る、医療用・衛生用器具の製造装置であって、
前記板状ホルダーは、厚さ方向に形成された孔を備え、前記加工面を含む部分が前記発生部の側に突出するように前記金属製基材の一部を前記孔に差し込んで前記金属製基材を保持できる保持機構を備え、
前記板状ホルダーにおける前記発生部の側の最表面の少なくとも一部が電気絶縁性材料からなる、医療用・衛生用器具の製造装置。
【請求項２】
真空槽と、前記真空槽内へ前記混合ガスを導入するためのガス導入手段と、前記真空槽内に設置された前記板状ホルダーおよび前記板状ホルダーに対向配置された前記発生部としてのフィラメントと、前記フィラメントに電流を供給するフィラメント用電源とを備え、
前記真空槽の内部でプラズマを発生させることで、前記加工面を研磨し、鋭利部を備える医療用・衛生用器具を得る、請求項１に記載の医療用・衛生用器具の製造装置。
【請求項３】
前記電気絶縁性材料の体積抵抗率が１０7Ω・ｃｍ以上である、請求項１または２に記載の医療用・衛生用器具の製造装置。
【請求項４】
穿刺針が得られる、請求項１〜３のいずれかに記載の医療用・衛生用器具の製造装置。
【請求項５】
前記板状ホルダーは、カバープレート、トッププレート、中間プレート、底部プレートおよび基部プレートを含み、これらは、各々の主面が平行になるように前記発生部の側からこの順に配置されていて、
前記カバープレート、前記トッププレート、前記中間プレートおよび前記底部プレートは、各々、厚さ方向に貫通するように形成されている前記孔を備え、
前記加工面を含む部分が前記発生部の側に突出するように前記金属製基材の一部を前記カバープレート、前記トッププレート、前記中間プレートおよび前記底部プレートに形成されている前記孔に貫通させた状態で、前記トッププレートおよび前記底部プレートに対して、前記中間プレートを前記主面に平行方向へ相対的に移動させることで、前記金属製基材を保持することができる保持機構を備える、請求項１〜４のいずれかに記載の医療用・衛生用器具の製造装置。
【請求項６】
加工して得た加工面を備える金属製基材を、板状ホルダーを用いて保持し、前記加工面へプラズマおよび／または電子を衝突させて前記加工面を研磨し、鋭利部を備える医療用・衛生用器具を得る、医療用・衛生用器具の製造方法であって、
前記板状ホルダーは、厚さ方向に形成された孔を備え、前記加工面を含む部分がプラズマおよび／または電子を発生する発生部の側に突出するように前記金属製基材の一部を前記孔に差し込んで前記金属製基材を保持できる保持機構を備え、
前記板状ホルダーにおける前記発生部の側の最表面の少なくとも一部が電気絶縁性材料からなる、医療用・衛生用器具の製造方法。
【発明の詳細な説明】
【技術分野】
【０００１】
本発明は、穿刺針（注射針）などの鋭利部を備える医療用・衛生用器具の製造方法および製造装置に関する。
【０００２】
鋭利部を備える医療用・衛生用器具としては、注射針等の穿刺針、外科用刃または髭剃り刃等が例示できる。以下では代表例として穿刺針を挙げて説明する。
【０００３】
人体に使用される注射針などの穿刺針の大きさは、用途によっても異なるが、通常、外径０．３〜１．２ｍｍ程度であり、場合によっては２ｍｍの大径のものもある。インスリン自己注射用でも一般的に用いられている３２ゲージのものの外径は０．２３ｍｍ程度である。このような径をもつ穿刺針は、刺通時に刺通痛みや傷などを与え、このことにより特にインスリンを自己注射する患者には恐怖感や不安感を与えることになる。このため、従来、穿刺針の刺通痛みを低減させることが望まれている。
【０００４】
穿刺針の刺通痛みを低減する１つの方法は、針の外径を細くすることであり、すでに３３ゲージの極細針が、刺通痛みを低減させたいわゆる無痛インスリン穿刺針として市販されている。また、刺通針の針管胴部にテーパー部をもたせ、針先部分の径をシリンジに接続する基端部の径より小さくした穿刺針もある（特許文献１参照）。
【０００５】
一方、穿刺針の針先は、通常、針管内の輸液量を確保できる、ある程度の大きさが必要とされる。このため、通常の針先の径を変えずに刺通時の痛みを低減させる方法が望まれている。穿刺針の刺通痛みを低減させる一方法として、針管の表面平滑化による生体との摩擦抵抗の低下が挙げられる。たとえば、医療・衛生用具の表面で通常観察される１０〜数十μｍの凹凸をもつ粗面は、穿刺針の場合には、生体への注入時に苦痛を与える原因であるとして、表面粗度を１〜２０μｍ程度に研磨することが提案されている（特許文献２参照）。
【先行技術文献】
【特許文献】
【０００６】
【特許文献１】特開２００８−２００５２８号公報
【特許文献２】特開平９−２７９３３１号公報
【発明の概要】
【発明が解決しようとする課題】
【０００７】
しかしながら、従来の穿刺針は刺通痛みが生じる場合があった。また、刺通痛みはより一層低いことが好ましい。皮膚等を穿つ穿刺針先端の表面が平滑であれば、刺通抵抗が低くなり、刺通痛みも低くなる。
また、外科用刃や髭剃り刃などについては、刃先の表面が平滑で、切れ味が良いことが好ましい。
【０００８】
本発明は上記のような課題を解決することが目的とする。
すなわち、本発明は、従来よりも表面が平滑な鋭利部を備える医療用・衛生用器具が得られる製造方法および製造装置を提供することを目的とする。
【課題を解決するための手段】
【０００９】
本発明者は上記課題を解決するため鋭意検討し、本発明を完成させた。
本発明は以下の（１）〜（６）である。
（１）加工して得た加工面を備える金属製基材を保持する板状ホルダーと、プラズマおよび／または電子を発生させる発生部とを有し、前記加工面へ前記発生部において発生させたプラズマおよび／または電子を衝突させて前記加工面を研磨し、鋭利部を備える医療用・衛生用器具を得る、医療用・衛生用器具の製造装置であって、
前記板状ホルダーは、厚さ方向に形成された孔を備え、前記加工面を含む部分が前記発生部の側に突出するように前記金属製基材の一部を前記孔に差し込んで前記金属製基材を保持できる保持機構を備え、
前記板状ホルダーにおける前記発生部の側の最表面の少なくとも一部が電気絶縁性材料からなる、医療用・衛生用器具の製造装置。
（２）真空槽と、前記真空槽内へ前記混合ガスを導入するためのガス導入手段と、前記真空槽内に設置された前記板状ホルダーおよび前記板状ホルダーに対向配置された前記発生部としてのフィラメントと、前記フィラメントに電流を供給するフィラメント用電源とを備え、
前記真空槽の内部でプラズマを発生させることで、前記加工面を研磨し、鋭利部を備える医療用・衛生用器具を得る、上記（１）に記載の医療用・衛生用器具の製造装置。
（３）前記電気絶縁性材料の体積抵抗率が１０7Ω・ｃｍ以上である、上記（１）または（２）に記載の医療用・衛生用器具の製造装置。
（４）穿刺針が得られる、上記（１）〜（３）のいずれかに記載の医療用・衛生用器具の製造装置。
（５）前記板状ホルダーは、カバープレート、トッププレート、中間プレート、底部プレートおよび基部プレートを含み、これらは、各々の主面が平行になるように前記発生部の側からこの順に配置されていて、
前記カバープレート、前記トッププレート、前記中間プレートおよび前記底部プレートは、各々、厚さ方向に貫通するように形成されている前記孔を備え、
前記加工面を含む部分が前記発生部の側に突出するように前記金属製基材の一部を前記カバープレート、前記トッププレート、前記中間プレートおよび前記底部プレートに形成されている前記孔に貫通させた状態で、前記トッププレートおよび前記底部プレートに対して、前記中間プレートを前記主面に平行方向へ相対的に移動させることで、前記金属製基材を保持することができる保持機構を備える、上記（１）〜（４）のいずれかに記載の医療用・衛生用器具の製造装置。
（６）加工して得た加工面を備える金属製基材を、板状ホルダーを用いて保持し、前記加工面へプラズマおよび／または電子を衝突させて前記加工面を研磨し、鋭利部を備える医療用・衛生用器具を得る、医療用・衛生用器具の製造方法であって、
前記板状ホルダーは、厚さ方向に形成された孔を備え、前記加工面を含む部分がプラズマおよび／または電子を発生する発生部の側に突出するように前記金属製基材の一部を前記孔に差し込んで前記金属製基材を保持できる保持機構を備え、
前記板状ホルダーにおける前記発生部の側の最表面の少なくとも一部が電気絶縁性材料からなる、医療用・衛生用器具の製造方法。
【発明の効果】
【００１０】
本発明によれば、従来よりも表面が平滑な鋭利部を備える医療用・衛生用器具が得られる製造方法および製造装置を提供することができる。
【図面の簡単な説明】
【００１１】
【図１】本発明に用いることができる金属製基材の形状を例示する概略図である。
【図２】本発明の装置の好ましい態様であるプラズマ装置の概略断面図である。
【図３】板状ホルダーの好ましい態様を示す概略斜視図である。
【図４】板状ホルダーのより好ましい態様を示す概略断面図である。
【図５】実施例１における処理後のカバープレート上の写真である。
【図６】実施例１において得られた穿刺針の刃先の写真（ＳＥＭ像）である。
【図７】比較例１における処理後のカバープレート上の写真である。
【図８】比較例１において得られた穿刺針の刃先の写真（ＳＥＭ像）である。
【発明を実施するための形態】
【００１２】
本発明について説明する。
本発明は、加工して得た加工面を備える金属製基材を保持する板状ホルダーと、プラズマおよび／または電子を発生させる発生部とを有し、前記加工面へ前記発生部において発生させたプラズマおよび／または電子を衝突させて前記加工面を研磨し、鋭利部を備える医療用・衛生用器具を得る、医療用・衛生用器具の製造装置であって、前記板状ホルダーは、厚さ方向に形成された孔を備え、前記加工面を含む部分が前記発生部の側に突出するように前記金属製基材の一部を前記孔に差し込んで前記金属製基材を保持できる保持機構を備え、前記板状ホルダーにおける前記発生部の側の最表面の少なくとも一部が電気絶縁性材料からなる、医療用・衛生用器具の製造装置である。
このような医療用・衛生用器具の製造装置を、以下では「本発明の装置」ともいう。
【００１３】
＜金属製基材＞
初めに、本発明の装置によって処理する金属製基材について説明する。
金属製基材は、加工して得た加工面を備えるものであって、注射針等の穿刺針や、外科用刃（手術用のメス等）および髭剃り刃などの刃物を得るために用いることができるものであれば特に限定されない。大きさや材質についても、通常の穿刺針や刃物等として用いることができるものであれば特に限定されず、例えばステンレスからなるパイプや板状材料を用いることができる。
【００１４】
金属製基材における加工面は機械加工して得られたものであることが好ましい。機械加工として、研削加工、引き抜き加工、研磨加工（ブラスト、皮砥等）が挙げられ、これらの加工方法のうちの２以上を組み合わせて行うことが好ましい。具体的には研削加工した後、研磨加工することが好ましい。
【００１５】
金属製基材の好ましい態様について、図１を用いて説明する。
図１は穿刺針を得るために用いることができる金属製基材の刃先形状を模式的に示す図であり、図１（ａ）は針先部分を側面側から見た斜視図であり、図１（ｂ）は正面側から見た斜視図である。穿刺針の刃先形状としては、ランセット型、セミランセット型、バックカット型およびこれらの変形型が挙げられるが、図１に示すものはランセット型である。
図１に示すように、金属製基材１の針先１１は、針管１０の一端に、針管１０の長手方向の中心軸５に対して鋭角をなす切断面１２と、切断面１２の先端側の約半分の部分を両側から中心軸５に対して線対称に研削して形成された一対の研削面（ベベル面）１３と、その一対の研削面１３同士が交差してなす管肉の稜線によって形成された刃縁１４とを備える。また、刃Ａは針先の先端において２つのベベル面１３が交差してなす刃縁１４と、刃縁１４の最先端の尖鋭な刃先１５とを含む。このような構造の針先は、単純な切断面しか有さない針先に比べ、穿刺・刺通時に皮膚組織との接触が少なく、また刃で切裂いた皮膚組織が針管内部に取り込まれるコアリングを構造的に低減することができ、刺通痛みが低い。
【００１６】
＜本発明の装置＞
本発明の装置は、前記金属製基材を保持する板状ホルダーと発生部とを有する。そして、前記金属製基材が備える加工面へ前記発生部において発生させたプラズマおよび／または電子を衝突させて前記加工面を研磨することができる。
発生部はプラズマおよび／または電子を発生させる機能を備えるものであれば特に限定されない。例えば従来公知のスパッタリング現象を利用してプラズマおよび／または電子を発生させる部位が挙げられるが、次に説明するプラズマ発生装置によってプラズマを発生させることが好ましい。
【００１７】
本発明の装置の好ましい態様について、図２を用いて説明する。
図２は、アーク放電ホットフィラメント法によるプラズマ発生装置である。
図２においてプラズマ装置２０は、真空槽２２と、真空槽２２内へ放電ガス２１を導入するためのガス導入手段２４と、真空槽２２内に設置された金属製基材２５を保持する板状ホルダー２６およびこれに対向配置された発生部としてのフィラメント２８と、フィラメント２８に電流を供給するフィラメント用電源３０とを備える。また、プラズマ装置２０は、フィラメント２８を覆うように設置されたアーク放電電源３２を備えるホローカソード電極３４と、ホローカソード電極３４の外面に設置されたコイル３６および絶縁体３７と、金属製基材１にバイアス電圧を印加できるバイアス電圧電源３８とをさらに備える。
【００１８】
このようなプラズマ装置２０では、ガス導入手段２４を用いて真空槽２２内へ放電ガス２１を導入して、この槽内を満たした後、フィラメント２８へ電流を供給することで、グロー放電を発生させて、放電ガスのプラズマを発生させることができる。
そして、発生させたプラズマによって、金属製基材２５が備える加工面を研磨することができる。
【００１９】
なお、本発明の装置は、図２を用いて説明したプラズマ発生装置ではなく、電子発生装置であってもよい。電子発生装置は従来公知のものであってよいので図示は省略する。
【００２０】
＜板状ホルダー＞
本発明の装置が備える板状ホルダーについて説明する。
板状ホルダーは、板状であって厚さ方向に形成された孔を備え、加工面を含む部分が前記発生部の側に突出するように前記金属製基材の一部を前記孔に差し込んで前記金属製基材を保持できる保持機構を備える。例えば網状のものであってもよい。そして、板状ホルダーにおける前記発生部の側の最表面の少なくとも一部は電気絶縁性材料からなる。
板状ホルダーにおける電気絶縁材料からなる部分以外は、例えば金属からなることが好ましく、ステンレスからなることがより好ましい。
【００２１】
板状ホルダーの好ましい態様について、図３を用いて説明する。
図３は、好ましい態様の板状ホルダーの概略斜視図である。
図３において板状ホルダー４０は、厚さ方向に形成された孔４２を備えている。また、板状ホルダー４０における前記発生部の側の最表面の全面に電気絶縁性材料からなる層（絶縁層４４）を備えている。すなわち、基板４６の主面上に絶縁層４４が形成された態様となっている。
図３では、孔４２の一部に穿刺針を得るために用いる金属製基材４５を差し込んだ状態を示している。金属製基材４５における加工面４７を含む部分が前記発生部の側（絶縁層４４が配置される側）に突出するように、金属製基材４５の一部を孔４２に差し込んでおり、板状ホルダー４０は、この状態で金属製基材４５を保持できる。
なお、金属製基材４５における加工面４７を含む部分が外に露出するように金属製基材４５を鞘管に差し込んだ後、鞘管ごと孔４２に差し込んでもよい。このような場合であっても、本発明の範囲内である。
【００２２】
孔４２の大きさ（断面直径）は、金属製基材４５を差し込んだ状態で、わずかな隙間が生じる程度の大きさであることが好ましい。具体的には金属製基材４５を差し込んだ状態で０．１〜１．２ｍｍの隙間が生じる大きさの孔であることが好ましい。この隙間は、０．２〜１．１ｍｍであることがより好ましい。
なお、ここで隙間の大きさは、金属製基材４５を孔４２に差し込んだ状態において、最大幅の隙間の大きさを意味するものとする。
【００２３】
板状ホルダーのより好ましい態様について、図４を用いて説明する。
図４は、より好ましい態様の板状ホルダーの概略断面図である。
図４において板状ホルダー５０は、カバープレート５１、トッププレート５３、中間プレート５５、底部プレート５７および基部プレート５９を含んでいる。そして、これらは、各々の主面が平行になるようにこの順に配置されている。また、前記発生部の側からこの順に配置されている。なお、カバープレート５１は電気絶縁性材料からなるものである。
【００２４】
また、カバープレート５１、トッププレート５３、中間プレート５５および底部プレート５７は、各々、厚さ方向に貫通するように孔（６１、６３、６５、６７）が形成されている。図４では、これらの孔に、穿刺針を得るために用いる金属製基材７０を差し込んだ状態を示している。ここで金属製基材７０における加工面７２を含む部分が前記発生部の側（電気絶縁性材料からなるカバープレート５１が配置される側）に突出するように金属製基材７０の一部を孔（６１、６３、６５、６７）に差し込んでいる。
カバープレート５１とトッププレート５３とは密着していて、図３に示した態様（絶縁層４４が基板４６の主面上に形成された態様）と同様となっている。また、中間プレート５５および底部プレート５７は、図３に示した基板４６と同様の態様である。
【００２５】
このように加工面７２を含む部分が前記発生部の側に突出するように金属製基材７０の一部を孔（６１、６３、６５、６７）に貫通させた状態で、トッププレート５３および底部プレート５７に対して、中間プレート５５を、これらの主面に平行方向へ相対的に移動させる。例えば、トッププレート５３および底部プレート５７を固定しておき、中間プレート５５へ側面側から応力を加え、これらの主面に平行方向へ相対的に移動させる。ここで中間プレート５５へ側面側から加える応力は、保持に必要な曲げモーメントを作用させる程度とすることが好ましい。
このようにして金属製基材７０の側面と孔（６１、６３、６５、６７）の側面とを接触させることで、金属製基材７０を保持することができる。
【００２６】
上記のように、板状ホルダーは、前記発生部の側の最表面の少なくとも一部が電気絶縁性材料からなる。
電気絶縁材料は体積抵抗率が１０7Ω・ｃｍ以上であることが好ましい。
また、電気絶縁材料は、さらに雰囲気温度（例えば、図２に示した態様の場合、真空槽内の雰囲気温度）に耐える耐熱材料であることが好ましい。雰囲気温度については後述するが、３００〜５００℃、好ましくは４００℃程度に耐える耐熱材料であることが好ましい。
例えば、ケイ酸系バインダーをマトリックスとしてガラス繊維を固めた素材は、耐熱性があり、電気絶縁性も備えるため、板状ホルダーにおける前記発生部の側の最表面の少なくとも一部を形成する電気絶縁性材料として好ましく用いることができる。
【００２７】
例えば、図２に示した好ましい態様の本発明の装置によって、金属製基材を処理する場合、放電ガスは従来公知のものを用いることができる。例えば希ガス（Ａｒ等）や窒素を用いることができる。また、さらに酸素を含むガスを放電ガスとして用いることもできる。
放電ガスの圧力は特に限定されず、例えば０．０１〜１０Ｐａとすることができる。
【００２８】
また、バイアス電圧は５０〜１０００Ｖとすることが好ましく、３００〜９００Ｖとすることがより好ましく、４５０〜７５０Ｖとすることがより好ましく６００Ｖ程度とすることがさらに好ましい。
【００２９】
また、処理時間（例えばプラズマ処理時間）は１〜１０時間とすることが好ましく、１．５〜４時間とすることがより好ましく、２〜３時間とすることがさらに好ましい。
【００３０】
また、イオン電流密度は０．１〜５０ｍＡ／ｃｍ2とすることが好ましく、０．５〜１０ｍＡ／ｃｍ2とすることがより好ましく、２〜３ｍＡ／ｃｍ2とすることがさらに好ましい。
【実施例】
【００３１】
＜実施例１＞
ＳＵＳ３０４針管（２９Ｇ、外径０．３ｍｍ）を研削および引き抜き加工して、図１に示すランセット型の針先１１を作製した。そして、電解研磨等の加工を施さずに、図２に示した構造のプラズマ発生装置に装填された板状ホルダーに設置し、針先をプラズマ処理した。板状ホルダーは、図４に示した態様のものである。
ここでプラズマ処理は、プラズマ発生装置として、永田精機株式会社製、ＰＩＮＫ型、アーク放電ホットフィラメント法プラズマ発生装置を用い、放電ガスをアルゴンおよび空気の混合気体（Ａｒガス分圧＝０．４Ｐａ、空気分圧＝０．２７Ｐａ）とし、イオン電流密度：１．５ｍＡ／ｃｍ2、バイアス電圧：４００Ｖの条件で２．５時間行った。
【００３２】
そして、処理後、板状ホルダーにおけるカバープレート（電気絶縁性材料からなる部分）の上面を観察した。
写真を図５に示す。図５から、処理後のカバープレート上に異物はないことが確認できた。
【００３３】
また、処理後に得られた穿刺針の刃先を走査型電子顕微鏡（ＳＥＭ）を用いて４００倍の倍率で観察した。ＳＥＭ像を図６に示す。
図６に示すように、刃先は非常に平滑であった。この場合、刺通抵抗も低い。
【００３４】
＜比較例１＞
実施例１で用いたものと同じ金属製基材を用意し、同様のプラズマ発生装置を用いて、同条件にて処理した。
ただし、板状ホルダーは、図４に示した態様のものから、カバープレート（電気絶縁性材料からなる部分）を取り外したものを用いた。
【００３５】
そして、処理後、板状ホルダーにおけるトッププレートの上面を観察した。
写真を図７に示す。図７から、処理後のトッププレート上における穿刺針付近に異物が存在することが確認できた。この異物は、穿刺針の加工面が研磨された際に発生したものと推定される。
【００３６】
また、処理後に得られた穿刺針の刃先を走査型電子顕微鏡（ＳＥＭ）を用いて４００倍の倍率で観察した。ＳＥＭ像を図８に示す。
図８に示すように、刃先には無数の異物が付着していた。この場合、刺通抵抗は高い。
【符号の説明】
【００３７】
１    金属製基材
１０  針管
１１  針先
１２  切断面
１３  研削面（ベベル面）
１４  刃縁
１５  針先
２０  プラズマ装置
２１  混合ガス
２２  真空槽
２４  ガス導入手段
２５  金属製基材
２６  ホルダー
２８  フィラメント
３０  フィラメント用電源
３２  アーク放電電源
３４  ホローカソード電極
３６  コイル
３７  絶縁体
３８  バイアス電圧電源
４０  板状ホルダー
４２  孔
４４  電気絶縁性材料
４５  金属製基材
４６  基材
４７  加工面
５０  板状ホルダー
５１  カバープレート
５３  トッププレート
５５  中間プレート
５７  底部プレート
５９  基部プレート
６１、６３、６５、６７  孔
【図２】
2014064612.tif 000003
【図３】
2014064612.tif 000004
【図４】
2014064612.tif 000005
【図１】
2014064612.tif 000006
【図５】
2014064612.tif 000007
【図６】
2014064612.tif 000008
【図７】
2014064612.tif 000009
【図８】
2014064612.tif 000010